(57)【特許請求の範囲】
【請求項１】
間接活線工具のヤットコ（１１０）の先端部に取り付けて電線を切断するためのＰＤ線カッター（１０）であって、
前記ＰＤ線カッターの第１の柄（１１1）の末端部が、前記ヤットコの固定把持片（１１１）の先端部に固定されており、
前記ＰＤ線カッターの第２の柄（１１2）の末端部に、長手方向が該第２の柄の長手方向に沿うようにスライド孔（１３）が形成されており、
前記第２の柄の末端部が、前記スライド孔の長手方向に沿って移動可能なように該スライド孔を貫通した取付ピン（１３３2）によって、前記ヤットコの可動把持片（１１２）の先端部に取り付けられており、
前記電線を前記ＰＤ線カッターで切断するために前記ヤットコの前記可動把持片を前記固定把持片に向かって移動させたときに、前記第１の柄の先端部に取り付けられた第１の刃体（１２1）は動かず、前記取付ピンが前記スライド孔の長手方向に沿って移動することにより前記第２の柄の先端部に取り付けられた第２の刃体（１２2）が該第１の刃体に向かって動くようにされている、
ことを特徴とする、ＰＤ線カッター。
【請求項２】
間接活線工具のヤットコ（１１０）の先端部に取り付けて高圧配電線（２）から分岐された高圧引下線（１）を切断するためのＰＤ線カッター（１０）であって、
第１の刃体（１２1）が先端部に取り付けられた第１の柄（１１1）と、
第２の刃体（１２2）が先端部に取り付けられた第２の柄（１１2）と、
前記第１および第２の刃体を枢着するための枢着ピン（１６）とを具備し、
前記第１の柄の末端部が、第１の取付具（１３１1）を介して前記ヤットコの固定把持片（１１１）の先端部に固定されており、
前記第２の柄の末端部が、第２の取付具（１３１2）を介して前記ヤットコの可動把持片（１１２）の先端部に、該第２の柄の長手方向に沿ってスライド可能に取り付けられており、
前記第１の柄が、前記ヤットコの前記可動把持片を移動させても第１の取付ピン（１３３1）を中心として回転しないように、該第１の取付ピンによって前記第１の取付具に固定されており、
前記第２の柄の末端部に、長手方向が該第２の柄の長手方向に沿うようにスライド孔（１３）が形成されており、
前記第２の柄が、前記スライド孔に沿ってスライド可能なように第２の取付ピン（１３３2）によって前記第２の取付具に取り付けられており、
前記高圧引下線を前記ＰＤ線カッターで切断するために前記ヤットコの前記可動把持片を前記固定把持片に向かって移動させたときに、前記第１の刃体は動かず前記第２の刃体が該第１の刃体に向かって動くようにした、
ことを特徴とする、ＰＤ線カッター。
【請求項３】
前記スライド孔の前記第２の刃体側の端の位置である開始位置が、前記枢着ピンの中心からの長さが該枢着ピンの中心と前記ヤットコの前記固定把持片および前記可動把持片を枢着するための他の枢着ピン（１１４）の中心とを結ぶ線の長さから該可動把持片の可動半径を引いた長さよりも小さくなる位置とされており、
前記スライド孔の前記第２の刃体と反対側の端の位置である終点位置が、該スライド孔の前記開始位置から該終点位置までの長さが前記可動把持片を最大限開ける長さよりも大きくなる位置とされている、
ことを特徴とする、請求項２記載のＰＤ線カッター。
【請求項４】
前記第１の柄の末端部に、前記第１の取付ピンを貫通させるための取付ピン貫通孔が１個だけ形成されていることを特徴とする、請求項２または３記載のＰＤ線カッター。
【請求項５】
前記第１の柄の末端部に、前記第１の取付ピンを貫通させるための複数個の取付ピン貫通孔が該第１の柄の長手方向に沿って所定の間隔で一列に形成されており、
前記ヤットコの前記可動把持片の長さに応じて前記複数個の取付ピン貫通孔のうちの１個の取付ピン貫通孔に前記第１の取付ピンを貫通させて前記第１の柄を前記第１の取付具に取り付けることにより、該可動把持片の長さが変わっても前記第１および第２の柄の開閉角度を確保できるようにされている、
ことを特徴とする、請求項２または３記載のＰＤ線カッター。
【請求項６】
固定角度調整ピン（１５）をさらに具備し、
前記第１の柄の末端部に、前記ＰＤ線カッターが取り付けられた前記ヤットコを垂直方向に立てたときに長手方向がほぼ垂直方向となるように固定角度調整孔（１４）が形成されており、
前記固定角度調整ピンが、前記固定角度調整孔の長手方向に沿って移動可能なように該固定角度調整孔を貫通して前記第１の取付具に取り付けられている、
ことを特徴とする、請求項２乃至５いずれかに記載のＰＤ線カッター。
【請求項７】
高圧配電線（２）から分岐された高圧引下線（１）を請求項２乃至６いずれかに記載のＰＤ線カッターを用いて切断するためのＰＤ線切断方法であって、
前記高圧引下線が跳ねないように間接活線工具の他のヤットコ（１４０）を用いて該高圧引下線の切断個所の少なくとも片方を把持し、
前記ヤットコの前記可動把持片を前記固定把持片に向かって移動させ、前記ＰＤ線カッターの前記第２の刃体を前記第１の刃体に向かって動かして、前記高圧引下線を切断する、
ことを特徴とする、ＰＤ線切断方法。
【発明の詳細な説明】
【技術分野】
【０００１】
本発明は、間接活線工具のヤットコの先端部に取り付けて高圧引下線を切断するのに好適なＰＤ線カッターおよびＰＤ線切断方法に関する。
【背景技術】
【０００２】
電力会社では、図３（ａ），（ｂ）に示すように、高圧配電線２から分岐された高圧引下線１（以下、「ＰＤ線１」と称する。）を切断する際には、切断するＰＤ線１が跳ねないように間接活線工具のヤットコ１４０（操作レバー付きの絶縁ヤットコ）を用いてＰＤ線１の切断個所の少なくとも片方を把持（固定）した状態で、別のヤットコ１１０（操作レバー付きの絶縁ヤットコ）に取り付けられたＰＤ線カッター１２０でＰＤ線１を切断している（たとえば、下記の特許文献１の段落００１０，００１１参照）。
【０００３】
ＰＤ線カッター１２０は、図４に実線で示すように、先端部に第１および第２の刃体１２２1，１２２2がそれぞれ取り付けられた第１および第２の柄１２１1，１２１2をヤットコ１１０の固定把持片１１１および可動把持片１１２に第１および第２の取付具１３１1，１３１2を介して取り付けることにより、ヤットコ１１０に取り付けられている。
ここで、第１および第２の柄１２１1，１２１2がヤットコ１１０の固定把持片１１１および可動把持片１１２に対して回転可能（すなわち、第１および第２の取付ピン１３１1，１３１2を中心として回転可能）なように、第１および第２の柄１２１1，１２１2の末端部が第１および第２の取付ピン１３３1，１３３2を用いて第１および第２の取付具１３１1，１３１2にそれぞれ取り付けられている。
【先行技術文献】
【特許文献】
【０００４】
【特許文献１】特開２００３−２２４９１０号公報
【発明の概要】
【発明が解決しようとする課題】
【０００５】
しかしながら、ＰＤ線１の切断は、ヤットコ１１０の可動把持片１１２の基端部に連結された絶縁性の作動棒１１３の下端部に取り付けられた操作レバー（不図示）を操作して可動把持片１１２の基端部を下方に移動させ（図４の矢印参照）、ヤットコ１１０の可動把持片１１２を固定把持片１１１に向かって移動させて、ＰＤ線１が間を通された第１および第２の刃体１２２1，１２２2の間隔を狭めていくことにより行われるが、ヤットコ１１０の固定把持片１１１は移動しないため、ＰＤ線カッター１２０の第１の柄１２１1が第１の取付ピン１３３1を中心として図４図示時計回りに回転し、第２の柄１２１2が第２の取付ピン１３３2を中心として同図図示反時計回りに回転することにより、第１および第２の刃体１２２1，１２２2は共にＰＤ線１の挟込みと同時に同図図示右方向に移動していく（図４の破線参照）。
その結果、図３（ａ），（ｂ）に示したようにＰＤ線１の切断個所の少なくとも片方をヤットコ１４０で把持している状態でＰＤ線１を切断すると、ＰＤ線１の切り口および切断部先端付近（破線の丸印の箇所）が曲がってしまい、事後行程となる切断したＰＤ線１の接続作業において、ＰＤ線１の先端部の線むぎや直線圧縮端子を用いたＰＤ線１の直線接続が難しくなるという問題があった。
【０００６】
本発明の目的は、跳ねないように把持している状態でＰＤ線などを切断しても切り口および切断部先端付近が曲がらないようにすることができるＰＤ線カッターおよびＰＤ線切断方法を提供することにある。
【課題を解決するための手段】
【０００７】
本発明の第１のＰＤ線カッターは、間接活線工具のヤットコ（１１０）の先端部に取り付けて電線を切断するためのＰＤ線カッター（１０）であって、前記ＰＤ線カッターの第１の柄（１１1）の末端部が、前記ヤットコの固定把持片（１１１）の先端部に固定されており、前記ＰＤ線カッターの第２の柄（１１2）の末端部に、長手方向が該第２の柄の長手方向に沿うようにスライド孔（１３）が形成されており、前記第２の柄の末端部が、前記スライド孔の長手方向に沿って移動可能なように該スライド孔を貫通した取付ピン（１３３2）によって、前記ヤットコの可動把持片（１１２）の先端部に取り付けられており、前記電線を前記ＰＤ線カッターで切断するために前記ヤットコの前記可動把持片を前記固定把持片に向かって移動させたときに、前記第１の柄の先端部に取り付けられた第１の刃体（１２1）は動かず、前記取付ピンが前記スライド孔の長手方向に沿って移動することにより前記第２の柄の先端部に取り付けられた第２の刃体（１２2）が該第１の刃体に向かって動くようにされていることを特徴とする。
本発明の第２のＰＤ線カッターは、間接活線工具のヤットコ（１１０）の先端部に取り付けて高圧配電線（２）から分岐された高圧引下線（１）を切断するためのＰＤ線カッター（１０）であって、第１の刃体（１２1）が先端部に取り付けられた第１の柄（１１1）と、第２の刃体（１２2）が先端部に取り付けられた第２の柄（１１2）と、前記第１および第２の刃体を枢着するための枢着ピン（１６）とを具備し、前記第１の柄の末端部が、第１の取付具（１３１1）を介して前記ヤットコの固定把持片（１１１）の先端部に固定されており、前記第２の柄の末端部が、第２の取付具（１３１2）を介して前記ヤットコの可動把持片（１１２）の先端部に、該第２の柄の長手方向に沿ってスライド可能に取り付けられており、前記第１の柄が、前記ヤットコの前記可動把持片を移動させても第１の取付ピン（１３３1）を中心として回転しないように、該第１の取付ピンによって前記第１の取付具に固定されており、前記第２の柄の末端部に、長手方向が該第２の柄の長手方向に沿うようにスライド孔（１３）が形成されており、前記第２の柄が、前記スライド孔に沿ってスライド可能なように第２の取付ピン（１３３2）によって前記第２の取付具に取り付けられており、前記高圧引下線を前記ＰＤ線カッターで切断するために前記ヤットコの前記可動把持片を前記固定把持片に向かって移動させたときに、前記第１の刃体は動かず前記第２の刃体が該第１の刃体に向かって動くようにしたことを特徴とする。
ここで、前記スライド孔の前記第２の刃体側の端の位置である開始位置が、前記枢着ピンの中心からの長さが該枢着ピンの中心と前記ヤットコの前記固定把持片および前記可動把持片を枢着するための他の枢着ピン（１１４）の中心とを結ぶ線の長さから該可動把持片の可動半径を引いた長さよりも小さくなる位置とされており、前記スライド孔の前記第２の刃体と反対側の端の位置である終点位置が、該スライド孔の前記開始位置から該終点位置までの長さが前記可動把持片を最大限開ける長さよりも大きくなる位置とされていてもよい。
前記第１の柄の末端部に、前記第１の取付ピンを貫通させるための取付ピン貫通孔が１個だけ形成されていてもよい。
前記第１の柄の末端部に、前記第１の取付ピンを貫通させるための複数個の取付ピン貫通孔が該第１の柄の長手方向に沿って所定の間隔で一列に形成されており、前記ヤットコの前記可動把持片の長さに応じて前記複数個の取付ピン貫通孔のうちの１個の取付ピン貫通孔に前記第１の取付ピンを貫通させて前記第１の柄を前記第１の取付具に取り付けることにより、該可動把持片の長さが変わっても前記第１および第２の柄の開閉角度を確保できるようにされていてもよい。
固定角度調整ピン（１５）をさらに具備し、前記第１の柄の末端部に、前記ＰＤ線カッターが取り付けられた前記ヤットコを垂直方向に立てたときに長手方向がほぼ垂直方向となるように固定角度調整孔（１４）が形成されており、前記固定角度調整ピンが、前記固定角度調整孔の長手方向に沿って移動可能なように該固定角度調整孔を貫通して前記第１の取付具に取り付けられていてもよい。
本発明のＰＤ線切断方法は、高圧配電線（２）から分岐された高圧引下線（１）を本発明の第２のＰＤ線カッターを用いて切断するためのＰＤ線切断方法であって、前記高圧引下線が跳ねないように間接活線工具の他のヤットコ（１４０）を用いて該高圧引下線の切断個所の少なくとも片方を把持し、前記ヤットコの前記可動把持片を前記固定把持片に向かって移動させ、前記ＰＤ線カッターの前記第２の刃体を前記第１の刃体に向かって動かして、前記高圧引下線を切断することを特徴とする。
【発明の効果】
【０００８】
本発明のＰＤ線カッターおよびＰＤ線切断方法は以下に示す効果を奏する。
（１）ヤットコの可動把持片を固定把持片に向かって移動させたときに第１の刃体は動かずに第２の刃体が第１の刃体に向かって動くようにすることができるため、跳ねないように把持している状態でＰＤ線などを切断しても切り口および切断部先端付近が曲がる恐れがなくなる。
（２）ＰＤ線の切断作業の迅速化および安全を確保できる。
【図面の簡単な説明】
【０００９】
【図１】本発明の一実施例によるＰＤ線カッター１０の構成を示す図である。
【図２】図１に示したＰＤ線カッター１０のＰＤ線１の切断時の動きについて説明するための図である。
【図３】従来のＰＤ線カッター１２０を用いたＰＤ線１の切断作業について説明するための図である。
【図４】従来のＰＤ線カッター１２０の構成および問題点について説明するための図である。
【発明を実施するための形態】
【００１０】
上記の目的を、ヤットコの可動把持片を固定把持片に向かって移動させたときに、第１の柄の先端部に取り付けられた第１の刃体は動かず、第２の柄の先端部に取り付けられた第２の刃体が第１の刃体に向かって動くようにすることにより実現した。
【実施例１】
【００１１】
以下、本発明のＰＤ線カッターおよびＰＤ線切断方法の実施例について図面を参照して説明する。
本発明の一実施例によるＰＤ線カッター１０は、ＰＤ線１を切断するときに第１の刃体１２1は動かず第２の刃体１２2が第１の刃体１２1に向かって動くように、第１の柄１１1の末端部がヤットコ１１０の固定把持片１１１の先端部に第１の取付具１３１1を介して固定されているとともに、第２の柄１１2の末端部がヤットコ１１０の可動把持片１１２の先端部に第２の取付具１３１2を介して第２の柄１１2の長手方向に沿ってスライド可能に取り付けられていることを特徴とする。
【００１２】
そのため、ＰＤ線カッター１０は、図１に示すように、先端部に第１の刃体１２1が取り付けられるとともに末端部に１個の取付ピン貫通孔（不図示）および固定角度調整孔１４が形成された第１の柄１１1と、先端部に第２の刃体１２2が取り付けられるとともに末端部に長孔のスライド孔１３が形成された第２の柄１１2と、固定角度調整ピン１５と、第１および第２の刃体１２1，１２2を枢着するための枢着ピン１６とを具備する。
【００１３】
すなわち、ＰＤ線カッター１０は、以下に示す点で、図４に示した従来のＰＤ線カッター１２０と異なる。
（１）ＰＤ線カッター１０の第１の柄１１1は、ヤットコ１１０の可動把持片１１２を移動させても第１の取付ピン１３３1を中心として回転しないように、ヤットコ１１０の固定把持片１１１の先端部に取り付けられた第１の取付具１３１1に、第１の取付ピン１３３1によって固定されている（すなわち、第１の柄１１1は、図４に示した第１の柄１２１1と異なり、ヤットコ１１０の固定把持片１１１に対して回転可能（第１の取付ピン１３３1を中心として回転可能）とされていない）。
（２）ＰＤ線カッター１０の第２の柄１１2は、その長手方向に沿ってスライド可能なように、ヤットコ１１０の可動把持片１１２の先端部に取り付けられた第２の取付具１３１2に、第２の取付ピン１３３2によって取り付けられている（なお、第２の柄１１2は、スライド可能であるため、図４に示した第２の柄１２１2と同様に、ヤットコ１１０の可動把持片１１２に対して回転可能（第２の取付ピン１３３2を中心として回転可能）とされている）。
そのため、ＰＤ線カッター１０の第２の柄１１2の末端部には、長手方向が第２の柄１１2の長手方向に沿うようにスライド孔１３が形成されている。また、第２の取付ピン１３３2は、スライド孔１３の長手方向に沿って移動可能なようにスライド孔１３を貫通して第２の取付具１３１2に取り付けられている。
（３）ＰＤ線１の径などに応じて第１の柄１１1の固定角度を調整することができるように、第１の柄１１1の末端部には、ＰＤ線カッター１２０が取り付けられたヤットコ１１０を垂直方向に立てたときに長手方向がほぼ垂直方向となるように固定角度調整孔１４が形成されている。また、固定角度調整ピン１５は、固定角度調整孔１４の長手方向に沿って移動可能なように固定角度調整孔１４を貫通して第１の取付具１３１1に取り付けられている。
【００１４】
このように構成されたＰＤ線カッター１０では、ヤットコ１１０の可動把持片１１２の基端部に連結された作動棒１１３の下端部に取り付けられた操作レバーを操作して可動把持片１１２の基端部を下方に移動させても、第１の柄１１1が第１の取付具１３１1を介して固定されたヤットコ１１０の固定把持片１１１は動かないため、第１の刃体１２1は動かない（図２参照）。
一方、ヤットコ１１０の可動把持片１１２の基端部を下方に移動させると、可動把持片１１２の動きに応じて第２の取付ピン１３３2はスライド孔１３に沿って第２の刃体１２2に向かって移動し、第２の柄１１2は第２の取付ピン１３３2を中心として同図図示反時計回りに回転するが、第２の刃体１２2は図２に破線で示すように第１の刃体１２1に向かって動くだけである。
【００１５】
したがって、ヤットコ１１０の可動把持片１１２を固定把持片１１１に向かって移動させてもＰＤ線カッター１０の第１の刃体１２1は動かず第２の刃体１２2が第１の刃体１２1に向かって動くだけであるため、図３に示したようにＰＤ線１の切断個所の少なくとも片方をヤットコ１４０で把持している状態でＰＤ線１をＰＤ線カッター１０で切断しても、ＰＤ線１の切り口および切断部先端付近が曲がってしまうことはない。
【００１６】
次に、スライド孔１３の形成方法について説明する。
上述したようにヤットコ１１０の可動把持片１１２を固定把持片１１１に向かって移動させてもＰＤ線カッター１０の第１の刃体１２1は動かず第２の刃体１２2が第１の刃体１２1に向かって動くだけであるため、ＰＤ線カッター１０の枢着ピン１６の位置とヤットコ１１０の固定把持片１１１および可動把持片１１２を枢着する枢着ピン１１４（図１参照）の位置とは可動把持片１１２の移動に伴って変わることはない（図２参照）。
したがって、スライド孔１３の開始位置（第２の刃体１２2側の端の位置）は、ＰＤ線カッター１０の枢着ピン１６の中心からの長さがＰＤ線カッター１０の枢着ピン１６の中心とヤットコ１１０の枢着ピン１１４の中心とを結ぶ線の長さからヤットコ１１０の可動把持片１１２の可動半径（ヤットコ１１０の枢着ピン１１４の中心から第２の取付具１３１2の先端までの長さ）を引いた長さよりも小さくなる位置とする。
また、スライド孔１３の終点位置（第２の刃体１２2と反対側の端の位置）は、スライド孔１３の開始位置から終点位置までの長さがヤットコ１１０の可動把持片１１２を最大限開ける長さよりも大きくなる位置とする（すなわち、スライド孔１３の開始位置から終点位置までの最小の長さは、ヤットコ１１０の可動把持片１１２を最大限開いた状態で第２の取付ピン１３３2がスライド孔１３の第２の刃体１２2と反対側の端に当接する長さとなる）。
【００１７】
以上の説明では、ＰＤ線カッター１０の第１の柄１１1の末端部に取付ピン貫通孔を１個だけ形成したが、ヤットコ１１０の可動把持片１１２の長さが変わっても第１および第２の柄１１1，１１2の開閉角度を確保できるようにするために、第１の柄１１1の末端部に複数個の取付ピン貫通孔を第１の柄１１1の長手方向に沿って所定の間隔で一列に形成して、可動把持片１１２の長さに応じて複数個の取付ピン貫通孔のうちの１つの取付ピン貫通孔に第１の取付ピン１３３1を貫通させて第１の柄１１1を第１の取付具１３１1に取り付けるようにしてもよい。
【００１８】
また、高圧配電線２から分岐されたＰＤ線１を切断する場合を例として説明したが、ＰＤ線１以外の電線を切断する際にもＰＤ線カッター１０を使用することができる。
【符号の説明】
【００１９】
１  ＰＤ線
２  高圧配電線
１０  ＰＤ線カッター
１１1，１１2  第１および第２の柄
１２1，１２2  第１および第２の刃体
１３  スライド孔
１４  固定角度調整孔
１５  固定角度調整ピン
１６  枢着ピン
１１０，１４０  ヤットコ
１１１  固定把持片
１１２  可動把持片
１１３  作動棒
１１４  枢着ピン
１２０  ＰＤ線カッター
１２１1，１２１2  第１および第２の柄
１２２1，１２２2  第１および第２の刃体
１３１1，１３１2  第１および第２の取付具
１３３1，１３３2  第１および第２の取付ピン
【要約】
【課題】跳ねないように把持している状態でＰＤ線などを切断しても切り口および切断部先端付近が曲がらないようにすることができるＰＤ線カッターおよびＰＤ線切断方法を提供する。
【解決手段】ＰＤ線１をＰＤ線カッター１０で切断する際にヤットコ１１０の可動把持片１１２を固定把持片１１１に向かって移動させたときに第１の刃体１２1は動かず第２の刃体１２2が第１の刃体１２1に向かって動くようにするために、第１の柄１１1の末端部が第１の取付具１３１1を介してヤットコ１１０の固定把持片１１１の先端部に固定されているとともに、第２の柄１１2の末端部が第２の取付具１３１2を介してヤットコ１１０の可動把持片１１２の先端部に第２の柄１１2の長手方向に沿ってスライド可能に取り付けられている。
【選択図】図１【図１】
0005461657.tif 000002
【図２】
0005461657.tif 000003
【図３】
0005461657.tif 000004
【図４】
0005461657.tif 000005